(57)【特許請求の範囲】
【請求項１】
椅子の背凭れの背面側にテーブルが収納されるテーブル収納箱が設けられ、該テーブル収納箱の上部に開口される開口部から上方側に前記テーブルが引き出され、該引き出されたテーブルは、その基端縁近傍に設けられた揺動軸を中心に略水平をなす使用位置に向かって揺動されるテーブル付椅子であって、
前記開口部の上縁には、該開口部の左右幅と略同一寸法の左右幅を有するカバー部材が設けられ、該カバー部材は、付勢手段により下方側に向かって降下するように付勢され、該カバー部材が前記テーブルの天板面と当接しており、前記揺動軸を中心に前記テーブルが揺動されるときに、該テーブルの基端縁近傍の天板面が前記カバー部材を押し上げるようになっていることを特徴とするテーブル付椅子。
【請求項２】
前記カバー部材の下端縁には、縦断側面視で湾曲された形状をなす湾曲部が形成されることを特徴とする請求項１に記載のテーブル付椅子。
【請求項３】
前記揺動軸は、前記テーブルが揺動されるときに、該テーブルの基端縁近傍の天板面が前記湾曲部に沿って揺動される位置に設けられることを特徴とする請求項２に記載のテーブル付椅子。
【請求項４】
前記カバー部材が押し上げられるときに、該カバー部材の上昇の抵抗となるダンパ装置が設けられることを特徴とする請求項１ないし３のいずれかに記載のテーブル付椅子。
【発明の詳細な説明】
【技術分野】
【０００１】
本発明は、劇場等に設置される前後方向に複数設置される椅子において、椅子の背凭れに後方の椅子の着座者が使用するための簡易なテーブルを収納可能に設けるテーブル付椅子に関する。
【背景技術】
【０００２】
従来のテーブル付椅子は、椅子の背凭れの後面側にテーブルを収納するテーブル収納箱が設けられ、このテーブル収納箱の開口部から上方側に引き出されたテーブルは、テーブルが水平になるように背面側に倒されるようになっている（例えば、特許文献１参照）。
【先行技術文献】
【特許文献】
【０００３】
【特許文献１】特開２００６−１８１０９１号公報
【発明の概要】
【発明が解決しようとする課題】
【０００４】
しかしながら、特許文献１に記載のテーブル付椅子にあっては、テーブルが水平になるように背面側に倒される際に、テーブルの基端縁近傍の上面（天板面）と開口部の上縁との間に隙間が生じるため、この隙間に使用者が指を挟めてしまう虞があるばかりか、テーブルがその自重により勢いよく倒れると、その衝撃が挟めた指に加わってしまうという問題がある。
【０００５】
本発明は、このような問題点に着目してなされたもので、テーブルの基端縁近傍の天板面とテーブル収納箱の開口部の上縁との間に指が挟まれることを防止し、かつテーブル収納箱から引き出されたテーブルの揺動速度を低下させることができるテーブル付椅子を提供することを目的とする。
【課題を解決するための手段】
【０００６】
前記課題を解決するために、本発明のテーブル付椅子は、
椅子の背凭れの背面側にテーブルが収納されるテーブル収納箱が設けられ、該テーブル収納箱の上部に開口される開口部から上方側に前記テーブルが引き出され、該引き出されたテーブルは、その基端縁近傍に設けられた揺動軸を中心に略水平をなす使用位置に向かって揺動されるテーブル付椅子であって、
前記開口部の上縁には、該開口部の左右幅と略同一寸法の左右幅を有するカバー部材が設けられ、該カバー部材は、付勢手段により下方側に向かって降下するように付勢され、該カバー部材が前記テーブルの天板面と当接しており、前記揺動軸を中心に前記テーブルが揺動されるときに、該テーブルの基端縁近傍の天板面が前記カバー部材を押し上げるようになっていることを特徴としている。
この特徴によれば、テーブルの基端縁近傍の天板面と開口部の上縁との間は、テーブル収納箱から引き出されたテーブルが揺動軸を中心に揺動されるときのみならず、テーブルが使用位置になっても、カバー部材により常に塞がれるようになり、テーブルの基端縁近傍の天板面と開口部の上縁との間に、指が挟まれることを防止しつつ、付勢手段による付勢力がカバー部材を介してテーブルの基端縁側に加わり、テーブルが使用位置に向かって揺動される揺動速度を低下させることができる。
【０００７】
本発明のテーブル付椅子は、
前記カバー部材の下端縁には、縦断側面視で湾曲された形状をなす湾曲部が形成されることを特徴としている。
この特徴によれば、テーブルの基端縁近傍の天板面とカバー部材の下端との間に指を挿入しようとしても、湾曲部により指が外方へ押し出されるように作用し、指が挟まれることを防止できる。
【０００８】
本発明のテーブル付椅子は、
前記揺動軸は、前記テーブルが揺動されるときに、該テーブルの基端縁近傍の天板面が前記湾曲部に沿って揺動される位置に設けられることを特徴としている。
この特徴によれば、テーブルの基端縁近傍の天板面とカバー部材の下端縁との間が、テーブルの揺動中に閉塞されるようになり、テーブルの基端縁近傍の天板面とカバー部材の下端との間に指が挟まれることを防止できる。
【０００９】
本発明のテーブル付椅子は、
前記カバー部材が押し上げられるときに、該カバー部材の上昇の抵抗となるダンパ装置が設けられることを特徴としている。
この特徴によれば、ダンパ装置の抵抗がカバー部材を介してテーブルの基端縁側に加わり、テーブルが使用位置に向かって揺動される揺動速度を低下させることができる。尚、ダンパ装置の抵抗力を向上させても使用位置となったテーブルが浮き上がるようなことがない。
【図面の簡単な説明】
【００１０】
【図１】実施例１における椅子を示す斜視図である。
【図２】図１における椅子を示すＡ−Ａ縦断側面図である。
【図３】図２における椅子を示す上部拡大図である。
【図４】テーブル収納箱からテーブルを引き上げた状態を示す縦断側面図である。
【図５】テーブルを揺動させる途中の状態を示す縦断側面図である。
【図６】テーブルが使用位置にある状態を示す縦断側面図である。
【図７】テーブル収納箱内の緩衝装置の配置を示す縦断背面図である。
【図８】実施例２におけるテーブル付椅子を示す縦断側面図である。
【図９】テーブルの使用状態を示す縦断側面図である。
【発明を実施するための形態】
【００１１】
本発明に係るテーブル付椅子を実施するための形態を実施例に基づいて以下に説明する。
【実施例１】
【００１２】
実施例１に係るテーブル付椅子につき、図１から図７を参照して説明する。以下、図２から図６の紙面左側をテーブル付椅子の正面側（前方側）として説明する。
【００１３】
図１の符号１は、本発明の適用されたテーブル付椅子としての椅子である。この椅子１は、例えば、大学の講堂や劇場などに配置されて使用される椅子である。図１に示すように、椅子１を左右方向に複数並設したものを前後方向に複数配置することで、多くの使用者が着座することができるようになっている。尚、本実施例では３つの椅子１が左右方向に並設されて１セットに構成されているが、椅子１の数はこれに限らず、いくつ並設してもよい。
【００１４】
また、図１に示す左側の椅子１のように、椅子１の背面側にはテーブル２が収納されており、中央の椅子１のようにテーブル２を引き出し、右側の椅子１のようにテーブル２を揺動させて水平な状態にできるようになっている。このように水平な状態にしたテーブル２を、後席の椅子１に着座した使用者が使用可能となり、テーブル２に書類や飲食物を載せられるようになっている。
【００１５】
尚、本実施例では、図１に示す左側の椅子１のように、テーブル２が収納された状態にあるテーブル２の位置を収納位置とし、右側の椅子１のように、テーブル２が椅子１の後方側に引き出されて水平状態にあるテーブル２の位置を使用位置として説明する。
【００１６】
図１及び図２に示すように、椅子１は、床面に設置される脚部３と、使用者が着座する座部４と、座部４の後部から上方に延びる背凭れ部５と、背凭れ部５の背面側で背凭れ部５を支持する背枠部６と、背枠部６の後方に設けられるテーブル装置７と、から構成されている。
【００１７】
尚、テーブル装置７は、上方が開口する箱型のテーブル収納箱８と、テーブル収納箱８の上部の蓋部９と、テーブル収納箱８内に引き出し可能に配置されたテーブル２と、後述する緩衝装置１０と、カバー部材１１と、を有している。
【００１８】
背凭れ部５、背枠部６、及びテーブル収納箱８の背面板８ａは、略並行な状態で後方側に傾斜している。テーブル収納箱８内の上部側にはテーブル２が収納され、テーブル収納箱８の上部に設けられた開口部２４からテーブル２が引き出し可能になっている。
【００１９】
図２に示すように、テーブル２が収納位置にあるときに上端となるテーブル２の先端縁には、後方下向きに突起する把手部１２が形成されている。使用者はこの把手部１２を掴み、テーブル２を開口部２４から引き出すことができるようになっている。尚、把手部１２は、開口部２４の左右幅と略同一寸法の左右幅となっている。
【００２０】
また、テーブル２が収納位置にあるときに下端となる基端部には、テーブル２を枢支する枢支部材１３がテーブル２の左右側部に取り付けられている。テーブル２がテーブル収納箱８から引き出された際に、テーブル２は基端部の枢支軸１３ａ（揺動軸）を中心に揺動されるようになっている。
【００２１】
更に、テーブル収納箱８における左右の側面板８ｂには、その内側に上下方向に延びるガイドレール１４が取り付けられている。テーブル２に取り付けられた枢支部材１３がこのガイドレール１４に係合し、ガイドレール１４によってテーブル２の上下方向の移動が案内されるようになっている。尚、テーブル２は、枢支部材１３の下端部がガイドレール１４の下端部に当接することで、収納位置に保持されるようになっている。
【００２２】
図３に示すように、背枠部６の背面には、側面視で略Ｓ字状をなすブラケット１５が取り付けられている。このブラケット１５には、背枠部６に対して垂直な部位が３箇所に形成されており、上から上端部１５ａ、中間部１５ｂ、下端部１５ｃとして説明する。
【００２３】
ブラケット１５における上端部１５ａは、蓋部９の下面に当接しており、このブラケット１５には、テーブル２の揺動速度を低減するための緩衝装置１０が取り付けられている。緩衝装置１０は、上下方向に延びるシャフト１６と、シャフト１６の下部に設けられるスプリング１７（付勢手段）と、スプリング１７の上部でシャフト１６に固定されたストッパー１８と、を有している。シャフト１６は、ブラケット１５の上端部１５ａ、中間部１５ｂ、下端部１５ｃに挿通されている。
【００２４】
また、緩衝装置１０の上部には、右側面視で逆向き略Ｌ字状をなすカバー部材１１が設けられている。このカバー部材１１は、テーブル２及び開口部２４と同等の左右幅を有しており、カバー部材１１の後方下側が滑らかに湾曲して湾曲部１１ａが形成されている。そして、カバー部材１１の下面には、緩衝装置１０におけるシャフト１６の上端部が固定されている。
【００２５】
スプリング１７は、シャフト１６の下部に設けられ、その上端部はブラケット１５の下端部１５ｃに当接している。シャフト１６に固定されたストッパー１８は、背枠部６とブラケット１５との間に形成された空隙１９内を、シャフト１６とともに上下方向に移動可能になっている。
【００２６】
カバー部材１１は、緩衝装置１０のスプリング１７によって、下方向に向かって付勢されるようになっている。尚、図７に示すように、ブラケット１５及び緩衝装置１０は、椅子１のテーブル収納箱８内の左右の側面板８ｂの近傍に1つずつ配置されている。
【００２７】
図３に示すように、テーブル収納箱８における背面板８ａの上端部には、内側に小カバー部材２０が取り付けられている。前方上側がカバー部材１１と同様に湾曲する小カバー部材２０となっており、カバー部材１１の湾曲部１１ａと小カバー部材２０の湾曲部２０ａが対向している。
【００２８】
次に、テーブル収納箱８からテーブル２を引き出す際の動作について、図３から図６を参照して説明する。図３に示す椅子１では、テーブル２がテーブル収納箱８に収納された収納位置にある状態を示している。
【００２９】
使用者がテーブル２の把手部１２に指をかけ、上方に引き上げると、テーブル２はガイドレール１４に沿って上方に移動される（図４参照）。尚、枢支部材１３は、所定の高さ位置まで移動されるとガイドレール１４の上端部に係合して止まり、テーブル２が揺動可能になる位置決めがされるようになっている。
【００３０】
そして、図５に示すように、テーブル２が枢支軸１３ａを中心に揺動して後方側に傾けられ、テーブル２の基端縁近傍（前端縁近傍）の天板面２ａ（上面）がカバー部材１１の湾曲部１１ａに当接するとともに、テーブル２の基端側の下面が小カバー部材２０の湾曲部２０ａに当接する。このときテーブル２は、カバー部材１１と小カバー部材２０に挟持されるようになり、テーブル２の揺動が安定される。尚、テーブル２が揺動されるときに、テーブル２の基端縁近傍の天板面２ａが湾曲部１１ａに沿って揺動される。
【００３１】
また、テーブル２の揺動とともにカバー部材１１は上方に押し上げられ、カバー部材１１に固定された緩衝装置１０も上方に移動される。緩衝装置１０のシャフト１６の下端部とブラケット１５の下端部１５ｃとの距離が小さくなり、スプリング１７が収縮し、カバー部材１１を下方向に引っ張る付勢力が更に強くなる。そのため、テーブル２の揺動速度が低減され、テーブル２が急激に倒れることを防止できるようになっている。
【００３２】
そして、緩衝装置１０のシャフト１６が上方に移動されると、シャフト１６に固定されたストッパー１８は背枠部６とブラケット１５との間の空隙１９内を上方に移動し、ストッパー１８がブラケット１５の中間部１５ｂに当接したところで緩衝装置１０の移動が停止される。即ち、テーブル２の揺動が停止され、テーブル２が水平状態となる使用位置になる（図６参照）。
【００３３】
このとき、テーブル２の天板面２ａはカバー部材１１の下端部に当接し、テーブル２の下面は小カバー部材２０の上端部に当接している。テーブル２の上下面がカバー部材１１及び小カバー部材２０によって挟持されることで、テーブル２の水平状態が保持され、テーブルとして使用可能な状態になる。
【００３４】
また、テーブル２が使用位置にあるときには、テーブル２の天板面２ａとカバー部材１１とが当接しているため、使用者がテーブル２の天板面２ａ側から鉛筆等を前方奥側に置いた場合でも、テーブル収納箱８内に鉛筆等が入り込んでしまうことを防止している。
【００３５】
尚、スプリング１７の付勢力はテーブル２の重量よりも小さくなるように設計されており、一旦引き出されたテーブル２は、テーブル２の重量により使用位置の方向に倒れ、テーブル２の水平状態が保持されるようになっている。
【００３６】
テーブル２をテーブル収納箱８に収納する場合には、使用者が使用位置にあるテーブル２の把手部１２を上方に押し上げると、枢支軸１３ａを中心にテーブル２が揺動する。そして、テーブル２の天板面２ａにより押し上げられていたカバー部材１１が、緩衝装置１０のスプリング１７の付勢力によって下方向に降下する（図５参照）。
【００３７】
そして、図４に示すように、テーブル２がガイドレール１４と平行な略垂直状態になると、テーブル収納箱８にテーブル２が収納可能になり、テーブル２が降下されて枢支部材１３の下端部がガイドレール１４の下端部に当接し、テーブル２が収納位置で停止される（図２、図３参照）。
【００３８】
緩衝装置１０のスプリング１７の付勢力によって、カバー部材１１が下方向に引っ張られるため、使用者はテーブル２を揺動させてテーブル収納箱８に収納する際に、テーブル２の重量よりも小さな力で揺動させることができ、使用者への負荷を軽減できるようになっている。
【実施例２】
【００３９】
次に、実施例２に係るテーブル付椅子につき、図８及び図９を参照して説明する。尚、前記実施例１と同一構成で重複する構成を省略する。以下、図８及び図９の紙面左側をテーブル付椅子の正面側（前方側）として説明する。
【００４０】
図８に示すように、実施例２における椅子１には、テーブル収納箱８の上部の蓋部９には、ダンパ２１（ダンパ装置）が設けられている。このダンパ２１は、例えばオイルダンパであり、内部に粘性抵抗を発生させるオイル（図示略）が充填されている。
【００４１】
ダンパ２１は、外側のケース体２２から下方向にロッド２３が延出されており、ロッド２３の先端部はカバー部材１１の下端部に固定されている。ロッド２３がケース体２２に入り込む際に、ロッド２３に加わるオイル（図示略）の粘性抵抗がダンパ２１の緩衝力となっている。そして、ダンパ２１は、緩衝装置１０と同様に、使用者がテーブル２を収納位置から使用位置に揺動させる際に、テーブル２の揺動速度を低減させることができる。
【００４２】
テーブル２が収納位置から使用位置に揺動される際には、テーブル２の基端側の天板面２ａがカバー部材１１に当接し、カバー部材１１が上方向に移動される。そして、ダンパ２１のロッド２３がケース体２２に入り込むとともに、緩衝装置１０のスプリング１７が収縮することにより、テーブル２の揺動速度を低減させることができる。
【００４３】
このように、本実施例における椅子１には、緩衝装置１０に加えてダンパ２１が設けられていることによって、より確実にテーブル２が落下する衝撃を緩衝することができるようになる。
【００４４】
以上、本実施例におけるテーブル付椅子１では、椅子１の背凭れ部５の背面側にテーブル２が収納されるテーブル収納箱８が設けられ、テーブル収納箱８の上部に開口される開口部２４から上方側にテーブル２が引き出され、引き出されたテーブル２は、その基端縁近傍に設けられた枢支軸１３ａを中心に略水平をなす使用位置に向かって揺動されるテーブル付椅子１であって、開口部２４の上縁には、開口部２４の左右幅と略同一寸法の左右幅を有するカバー部材１１が設けられ、カバー部材１１は、スプリング１２により下方側に向かって降下するように付勢され、枢支軸１３ａを中心にテーブル２が揺動されるときに、テーブル２の基端縁近傍の天板面２ａがカバー部材１１を押し上げるようになっていることで、テーブル２の基端縁近傍の天板面２ａと開口部２４の上縁との間は、テーブル収納箱８から引き出されたテーブル２が枢支軸１３ａを中心に揺動されるときのみならず、テーブル２が使用位置になっても、カバー部材１１により常に塞がれるようになり、テーブル２の基端縁近傍の天板面２ａと開口部２４の上縁との間に、指が挟まれることを防止しつつ、スプリング１７による付勢力がカバー部材１１を介してテーブル２の基端縁側に加わり、テーブル２が使用位置に向かって揺動される揺動速度を低下させることができる。
【００４５】
また、カバー部材１１の下端縁には、縦断側面視で湾曲された形状をなす湾曲部１１ａが形成されることで、テーブル２の基端縁近傍の天板面２ａとカバー部材１１の下端との間に指を挿入しようとしても、湾曲部１１ａにより指が外方へ押し出されるように作用し、指が挟まれることを防止できる。
【００４６】
また、枢支軸１３ａは、テーブル２が揺動されるときに、テーブル２の基端縁近傍の天板面２ａが湾曲部１１ａに沿って揺動される位置に設けられることで、テーブル２の基端縁近傍の天板面２ａとカバー部材１１の下端縁との間が、テーブル２の揺動中に閉塞されるようになり、テーブル２の基端縁近傍の天板面２ａとカバー部材１１の下端との間に指が挟まれることを防止できる。
【００４７】
また、カバー部材１１が押し上げられるときに、カバー部材１１の上昇の抵抗となるダンパ２１が設けられることで、ダンパ２１の抵抗がカバー部材１１を介してテーブル２の基端縁側に加わり、テーブル２が使用位置に向かって揺動される揺動速度を低下させることができる。尚、ダンパ２１の抵抗力を向上させても使用位置となったテーブル２が浮き上がるようなことがない。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、前記実施例では、緩衝装置１０は椅子１の左右両側部に１つずつ設けたが、いずれか一方でもよい。
【００５０】
また、前記実施例では、ダンパ装置としてのダンパ２１にオイルダンパを用いたが、ガスを用いたガスダンパやその他のダンパを用いてもよい。
【符号の説明】
【００５１】
１                椅子
２                テーブル
２ａ              天板面
５                背凭れ部
７                テーブル装置
８                テーブル収納箱
８ａ              背面板
８ｂ              側面板
９                蓋部
１０              緩衝装置
１１              カバー部材
１１ａ            湾曲部
１２              把手部
１３              枢支部材
１３ａ            枢支軸（揺動軸）
１７              スプリング（付勢手段）
２１              ダンパ（ダンパ装置）
２４              開口部
【図１】
0005597034.tif 000002
【図２】
0005597034.tif 000003
【図３】
0005597034.tif 000004
【図４】
0005597034.tif 000005
【図５】
0005597034.tif 000006
【図６】
0005597034.tif 000007
【図７】
0005597034.tif 000008
【図８】
0005597034.tif 000009
【図９】
0005597034.tif 000010